(57)【要約】【課題】軽くて持ち運びが容易で、定植する際、自己支持力があって培土崩れがなく、定植作業性が良好で、定植後の植物の生育も良く、頻繁に灌水を行う必要がない育苗用培土及びこれを用いた野菜類の挿し木方法を提供する。【解決手段】ピートモス又は及びココピートの合計骨材量１００重量部に、水溶性バインダー１〜１５重量部と、非水溶性の吸水ポリマー０．５〜１０重量部を加え、これに総水分量が４００〜１２００重量部となる水を加えて混合して成ることを特徴とする育苗用培土。総水分量が７００〜１２００重量部になる量の水を加えて再び撹拌混合してスラリーとなし、次いでこのスラリーを育苗用容器に流し込み充填した後３〜５時間以上放置して、余分な水分が排水されて水を含んだ固体の培土になってから草花や野菜類の苗を挿し木することを特徴とする野菜類の挿し木方法。【選択図】図１
2008253234.tif 000002
【特許請求の範囲】
【請求項１】
ピートモス又は及びココピートの合計骨材量１００重量部に、水溶性バインダー１〜１５重量部と、非水溶性の吸水ポリマー０．５〜１０重量部を加え、これに総水分量が４００〜１２００重量部となる水を加えて混合して成ることを特徴とする育苗用培土。
【請求項２】
前記育苗用培土の総水分量を７００〜１２００重量部に調整して、育苗用容器に流し込み可能なスラリーとなしたことを特徴とする請求項１に記載の育苗用培土。
【請求項３】
ピートモス又は及びココピートの合計骨材量１００重量部に、水溶性バインダー１〜１５重量部と、非水溶性の吸水ポリマー０．５〜１０重量部とを加えて撹拌混合した後、これに総水分量が７００〜１２００重量部になる量の水を加えて再び撹拌混合してスラリーとなし、次いでこのスラリーを育苗用容器に流し込み充填した後３〜５時間以上放置して、余分な水分が排水されて水を含んだ固体の培土になってから野菜類の苗を挿し木することを特徴とする野菜類の挿し木方法。
【発明の詳細な説明】
【技術分野】
【０００１】
本発明は、草花や野菜類（以下、単に野菜類という）を育苗するのに適した育苗用培土及びこの培土を用いて野菜類の挿し木方法に関し、詳しくは、挿し木作業がし易く、軽くて持ち運びが容易で、定植する際、培土の自己保持力により培土崩れがなく、定植作業性が良好で、定植後の植物の生育も良い育苗用培土及びこの培土を用いて、か弱い野菜類の苗、特に断根接苗を容易に挿し木する方法に関するものである。
【背景技術】
【０００２】
従来の野菜類の育苗用培土として、ピートモス、バーク、腐葉土、赤玉土、鹿沼土、その他の土壌等の混合物からなる培土が使用されていたが、育苗後田畑に定植する際、培土に自己保持力が無いために培土が崩れてバラバラになり、定植作業性が悪く、定植後の植物の生育も良くなかった。
【０００３】
この対策として、特表平１１−５００３１０号公報には、ピート、表土、コイア（ココナッツ殻）、パーライト、バーミキュライト、軽石、焼成粘土、木材パルプ、粉砕樹皮、おがくず、およびこれらの混合物から成る骨材と親水性ポリウレタンプレポリマー、および水から構成される、凝集性、自己支持力のある、オープンセルの生育培地を調製する方法が開示されている。
【０００４】
しかしながら、前記特表公報の方法は親水性ポリウレタンプレポリマーを用いるので培地が固まりやすく、一旦固まると灌水しても水を弾いて濡れにくく、例え濡れたとしても柔らかく成りにくいので、挿し木作業が困難で、かつ植物の生育上好ましくないという問題があった。その上、吸水ポリマーが混合されていないので、土壌への灌水が不十分な場合には土壌が乾燥し、植物が発芽、生育に必要な水分を十分吸収できず、生育不良を起こすこととなる。このため、灌水を頻繁に行なわなければならず、管理が大変であるという問題もあった。
【０００５】
野菜類の挿し木、特に断根接苗の挿し木では、長さ数ｃｍ、直径数ｍｍの茎に、長さ数ｃｍの挿し木を接木した断根接苗を、育苗用容器に入れた育苗用培土に対して挿し木するものであり、ただでさえか弱い果菜類が接木によってさらにか弱い状態となっており、これを支持する育苗用培土は、腰が強すぎてもならず、相応の柔軟さと、挿し木の支持力が必要とされる。
【０００６】
また、挿し木された野菜類は、発根し、容器内で根張りが出た時点で農家に送られ、ここで容器から出して植え込みされるので、このとき苗から培土がこぼれ、バラバラとなってはならず、植込み時点での苗木による培土の自己保持力も考慮されなければならない。
【特許文献１】特表平１１−５００３１０号公報
【発明の開示】
【発明が解決しようとする課題】
【０００７】
本発明の課題は、上記問題点を改良し、野菜類の育苗用培土に適し、挿し木作業がし易くて、軽くて持ち運びが容易で、挿し木時点で安定に支持されると共に、定植する際、培土の自己保持力により培土崩れがなく、定植作業性が良好で、定植後の植物の生育も良く、且つ頻繁に灌水を行う必要がない育苗用培土及びこれを用いた野菜類の挿し木方法を提供することにある。
【課題を解決するための手段】
【０００８】
本発明の育苗用培土は、ピートモス又は及びココピートの合計骨材量１００重量部に、水溶性バインダー１〜１５重量部と、非水溶性の吸水ポリマー０．５〜１０重量部を加え、これに総水分量が４００〜１２００重量部になる量の水を混合して成ることを特徴とする。
【０００９】
本発明の育苗用培土において、前記育苗用培土の総水分量を７００〜１２００重量部に調整して、育苗用容器に流し込み可能なスラリーとなすことを特徴とする。ここで育苗用容器とは、培土を充填して野菜や草花の苗を生育するためのセルトレイやポットや鉢類等の容器のことである。
【００１０】
また、本発明の苗の挿し木方法は、ピートモス又は及びココピートの合計骨材量１００重量部に、水溶性バインダー１〜１５重量部と、非水溶性の吸水ポリマー０．５〜１０重量部とを加えて撹拌混合した後、これに総水分量が７００〜１２００重量部になる量の水を加えて再び撹拌混合してスラリーとなし、次いでこのスラリーを育苗用容器に流し込み充填した後３〜５時間以上放置して、余分な水分が排水されて水を含んだ固体の培土になってから野菜類の苗を挿し木することを特徴とする。放置時間は配合により３〜５時間以上が適切であるが、非水溶性の吸水ポリマーへの安定した吸水を考慮すれば、自然放置で５時間以上とするのがより好ましい。ただし、配合後、挿し木業者に手渡され、それが容器に充填される場合のように、配合から充填までに数時間以上経過する場合や透水性がよい場合には、３時間の放置でも十分である。
【００１１】
本発明の育苗用培土において、ピートモスやココピート以外の骨材である、バーク、腐葉土、赤玉土、鹿沼土、その他の土壌、パーライト、バーミキュライト、軽石、焼成粘土、木材パルプ、粉砕樹皮、おがくず等を併用してもよいが、その場合でもピートモスとココピートが主成分であって、その他の骨材の合計量はピートモスとココピートの合計量未満でなければならない。この場合、ピートモスとココピートを含む全ての骨材の合計量１００重量部に対して、水溶性バインダーを１〜１５重量部、非水溶性の吸水ポリマーを０．５〜１０重量部、総水分量を４００〜１２００重量部にする。
【００１２】
ここで、総水分量とは、ピートモス、ココピート、水溶性バインダー、非水溶性の吸水ポリマー、及びその他の添加物が含有している水分量と新たに添加する水分量とを合計した総水分量のことであって、前記育苗用容器に充填する際の総水分量である。
【００１３】
本発明で用いるピートモスとは、水苔を堆積した繊維性土壌改良材である。また、ココピートとは、ココヤシの実の殻の繊維質を粉砕堆積した多孔質の繊維性土壌改良材である。
【００１４】
また、本発明で用いる水溶性バインダーとしては、澱粉や、セルロースを主原料にしたアニオン性の水溶性高分子、アクリル、酢酸ビニル、エチレン酢ビ、アクリル酸エステル、スチレンアクリル、スチレンブタジエンゴムの重合体、又は共重合体等の粉末状、乃至エマルジョンが使用可能である。尚、エマルジョンの場合の配合比は、固形成分量に換算する。
【００１５】
また、本発明で用いる非水溶性の吸水ポリマーとしては、アクリル酸重合体部分塩架橋物、ポリエチレンオキシドにイソシアナート系化合物を反応させて得られる吸水性樹脂、ポリエチレンオキシドやその共重合体、ポリエチレンオキシドに電子線照射して得られるポリエチレンオキシド及びその誘導体等の粉粒体が使用可能である。これらの非水溶性の吸水ポリマーは、自重の数百倍もの水分を吸収する性質を持っており、多量に吸収された水は、培土の乾燥にともなって徐々に培土中に染み出して植物に吸水される。
【００１６】
かくして調整された育苗用培土は、育苗容器に入れられて３〜５時間以上放置後、挿し木される。このとき、野菜類は、長さ２〜３ｃｍのカボチャ又はキュウリの台木に長さ３〜５ｃｍの別品種のキュウリの接穂を接木した断根接苗を挿し木するので、容器に入れられた育苗用培土に小さな穴を明け、この穴の中に断根接苗を挿し、根本にドロ（培土）を寄せて、挿し木が倒れないようにする。このとき、本発明の育苗用培土は、粘度、支持力共に最適に調整されているので、挿し木が倒れるようなことがなく、断根接苗の根元を常時湿った状態とすることができ、挿し木作業を容易に行うことができる。
【００１７】
一方、挿し木が発根して根が張ると出荷され、農家に渡るが、本発明の育苗用培土は吸水性よく調節されているので散水管理が容易で、この間に誤って育苗用培土を固まらせてしまうような恐れがなく、断根接苗の根元を常時湿った状態とすることができ、発根管理を容易に行うことができる。
【００１８】
さらに、出荷後、農家では、苗木を容器から出し定植するが、容器から出された育苗用培土には適度の自己保持力を持たせているので、培土が崩れるようなことがなく、定植作業によって発根を傷めるようなことがない。本発明の育苗用培土は保水性が高く構成されているので、定植後の水分管理も容易に行うことができる。さらに、本発明の育苗用培土は保肥性も高く構成されているので、定植された苗の育成が良好である。
【発明の効果】
【００１９】
本発明の育苗用培土はピートモスが一つの主成分なので、吸水性、保水性、保肥性が優れている、また、ｐＨが３．５〜４．０と酸性が強いので、カビやダニがつきにくい。
【００２０】
本発明の育苗用培土はココピートがもう一つの主成分なので、吸水性、保水性、保肥性、透水性、通気性が優れている。また、ｐＨが６．０〜６．５と弱酸性で植物に適している。
【００２１】
前記ピートモスとココピートの合計骨材量１００重量部に対して、水溶性バインダーが１〜１５重量部含有されているので、培土全体が適度に粘着し、定植する際、培土の自己保持力により培土崩れがなく、定植作業性が良好となる。更に、浸透性が増加して肥料効果が良くなり、発根や苗の生育も良好となる。
【００２２】
前記ピートモスとココピートの合計骨材量１００重量部に対して、非水溶性の吸水ポリマーが０．５〜１０重量部含有されているので、頻繁に灌水を行わなくても植物への水分補給が持続される。また、土壌中で多量の水を吸収、放出するので、土壌中に気相を作り、根に酸素を供給する。更に、降水、灌水などによる肥料成分の流出を防ぐので、苗の肥料利用率が向上し、苗の生育が良好となる。更にまた、多量の水を保有しているにも拘わらず透水性が良いので根腐れすることが無く、発根や根張りが促進されて、植物の生育や葉の色も良好となる。
【００２３】
前記ピートモスとココピートの合計骨材量１００重量部に対して、前記総水分量が４００〜１２００重量部含まれているので、前記ピートモスやココピート、更に前記非水溶性の吸水ポリマーへの水分供給が充分となり、多量の水を保有させることができる。特に総水分量が７００〜１２００重量部になると、培土がスラリーとなるので、育苗用容器への流し込み充填が可能となり、充填作業性が向上する。このように水分過多の状態で育苗用容器へ流し込み充填すると、余分の水が徐々に排水されて固相に対する気相の比率が増加して根に酸素を供給すると共に、固体の密度斑が減少し、根張りや苗の生育が良好となる。
【００２４】
本発明の育苗用培土は、前記の各成分が適正に配合されているので、固相と気相のバランスが良くなり、培土全体が適度に粘着して、定植する際、培土の自己保持力により培土崩れがなく、定植作業性が良好となり、野菜や草花等の挿し木用の育苗用培土として最適となるが、その外に上記のように数多くの特徴があるので、種を直接播いて育苗する場合や野菜、草花、盆栽等の鉢やプランター用の培土等広範囲の用途に適用可能である。
【００２５】
本発明の野菜類の挿し木方法で用いる育苗用培土は、ピートモス又は及びココピートと、水溶性バインダーと、非水溶性の吸水ポリマーとを固体の状態で混合した後、多量の水を添加して再び混合するので、水溶性バインダーが凝集して溶けにくくなったり、非水溶性の吸水ポリマーが水を吸収して相互に膠着することがない。
【００２６】
本発明の野菜類の挿し木方法は、スラリー状の育苗用培土をセルトレイやポット等の育苗用容器に流し込み充填した後３〜５時間以上放置して、余分な水分が排水されて水を含んだ固体の培土になってから苗を挿し木するので、容易に挿し木できる上、挿し木した苗が傾いたり倒れたりすることがない。
【発明を実施するための最良の形態】
【００２７】
本発明の一実施形態に係る育苗用培土は、ピートモス又は及びココピート、水溶性バインダー、非水溶性の吸水性ポリマー及び水を混合したものである。
【００２８】
ピートモスとココピートの配合量は、１：０又は０：１でも問題ないが、４：１〜１：４、好ましくは５：５〜１：３とココピートを多めにするのが好ましく、透水性と根張りがよくなる。
【００２９】
水溶性バインダーとして、澱粉や、セルロースを主原料にしたアニオン性の水溶性高分子、アクリル、酢酸ビニル、エチレン酢ビ、アクリル酸エステル、スチレンアクリル、スチレンブタジエンゴムの重合体、又は共重合体等の粉末状、乃至エマルジョンが使用可能である。このうちセルロースを主原料にしたアニオン性の水溶性高分子で、粒径が７５μm以下の粉末が好適に使用される。
【００３０】
水溶性バインダーの配合量としては、エマルジョンの場合は固形成分量で換算し、ピートモスとココピートの合計量１００重量部に対して、１〜１５重量部、好ましくは３〜１０重量部にするのがよい。水溶性バインダーが３重量部未満、特に１重量部未満になると、定植する際、培土の自己保持力が小さいので、培土が崩れてバラバラになり、定植作業性が悪くなる。また、浸透性が悪くなって肥料効率が低下し、発根や苗の生育も悪くなる。逆に１０重量部、特に１５重量部を越えると発根や苗の生育が悪くなる。
【００３１】
非水溶性の吸水ポリマーとして、アクリル酸重合体部分塩架橋物、ポリエチレンオキシドにイソシアナート系化合物を反応させて得られる樹脂やポリエチレンオキシドやその共重合体、ポリエチレンオキシドに電子線照射して得られる非水溶性のポリエチレンオキシド及びその誘導体等の粉粒体が使用可能である。このうちアクリル酸重合体部分塩架橋物で、平均粒径が２０〜７００μmの粉粒体が好適に使用される。この非水溶性の吸水ポリマーの配合量としては、ピートモスとココピートの合計骨材量１００重量部に対して、０．５〜１０重量部、好ましくは１〜５重量部にするのがよい。非水溶性の吸水ポリマーが１重量部未満、特に０．５重量部未満になると、培土の保水性が低下し、肥料効率が悪くなり、根量が減少し葉の色が悪くなる。また、５重量部、特に１０重量部を越えると、発根や生育が悪くなる。
【００３２】
総水分量は、ピートモスとココピートの合計骨材量１００重量部に対して４００〜１２００重量部、好ましくは７００〜１２００重量部にするのがよい。総水分量が４００重量部未満になると気相の比率が減少し、根張りや苗の生育が悪くなって好ましくない。総水分量が４００重量部以上７００重量部未満になると、根張りや苗の生育上の問題はないが、培土がスラリーにならないので、育苗用容器への流し込み充填が不可能になり、作業性が低下する。一方、総水分量が１２００重量部を越えると、固相の比率が減少し過ぎて苗の生育上好ましくない。
【００３３】
以上の如く配合された本発明の育苗用培土は、ピートモスが一つの主成分なので、吸水性、保水性、保肥性が優れている、また、ｐＨが３．５〜４．０と酸性が強いので、カビやダニがつきにくい。
【００３４】
ココピートがもう一つの主成分なので、吸水性、保水性、保肥性、透水性、通気性が優れている。また、ｐＨが６．０〜６．５と弱酸性で植物に適している。
【００３５】
前記ピートモスとココピートの合計骨材量１００重量部に対して、水溶性バインダーが１〜１５重量部含有されているので、培土全体が適度に粘着し、定植する際、培土の自己保持力により培土崩れがなく、定植作業性が良好となる。更に、浸透性が増加して肥料効果が良くなり、発根や苗の生育も良好となる。
【００３６】
前記ピートモスとココピートの合計骨材量１００重量部に対して、非水溶性の吸水ポリマーが０．５〜１０重量部含有されているので、頻繁に灌水を行わなくても植物への水分補給が持続される。更に、降水、灌水などによる肥料成分の流出を防ぐので、苗の肥料利用率が向上し、苗の生育が良好となる。また、多量の水を保有しているにも拘わらず透水性が良いので根腐れすることが無く、発根や根張りが促進されて、植物の生育や葉の色も良好となる。
【００３７】
前記ピートモスとココピートの合計骨材量１００重量部に対して、前記総水分量が４００〜１２００重量部含まれているので、前記ピートモスやココピート、更に前記非水溶性の吸水ポリマーへの水分供給が充分となり、多量の水を保有させることができる。特に総水分量が７００〜１２００重量部になると、培土がスラリーとなるので、育苗用容器への流し込み充填が可能となり、充填作業性が向上する。また、このように水分過多の状態で育苗用容器へ流し込み充填すると、培土三相（固相：液相：気相）の液相比率が上がり、固相比率が下がって固体密度が減少する。充填後、余分の水が徐々に排水されると、水が抜けた液相の部分が気相に変わるので気相比率が増加して根に酸素を供給すると共に、固体の密度斑が減少し、根張りや苗の生育が良好となる。
【００３８】
次に、本発明の果菜類を挿し木する方法について説明する。前記のピートモス又は及びココピートの合計骨材量１００重量部に対して、粉末の水溶性バインダー１〜１５重量部と、粉粒体の非水溶性の吸水性ポリマー０．５〜１０重量部とを加えた固体成分のみを予め撹拌混合した後、これに総水分量が７００〜１２００重量部になる量の水を加えて再び撹拌混合してスラリー状の培土を得る。最初から総水分量が７００〜１２００重量部になる量の水を加えて撹拌混合すると、水溶性バインダーが凝集して溶けにくくなったり、非水溶性の吸水ポリマーが水を吸収して相互に膠着することがあるので良くない。
【００３９】
このスラリー状の培土をセルトレイ等の育苗用容器に流し込み充填した後３〜５時間以上、例えば５時間以上放置して、余分な水分が排水されて水を含んだ固体の培土になってから、挿し木部門又は挿し木業者で挿し木する。前記育苗用容器に流し込み充填した後、余分な水分が充分に排水されていない培土に挿し木すると、前記培土が軟弱なので挿し木した苗が斜めに傾いたり、倒れたりするので良くない。
【００４０】
図１は、本発明の育苗用培土を充填したセルＣ１に、接木した苗を挿し木した一実施態様を示す正断面図である。図１において、挿し木する苗としては、最も厳しい条件のもので、断根の台木３を用いた。この断根台木３に接穂４を接木した接苗５を、前記セルＣ１内の培土２に挿し木する。
【００４１】
図２は多数のセルＣ１，Ｃ２，Ｃ３・・・が設けられたセルトレイ１の平面図であり、図３はその部分側断面図である。上記の配合量で配合し、撹拌混合した培土２を前記のセルトレイ１の多数のセルＣ１，Ｃ２，Ｃ３・・・に充填する。充填方法としては、総水分量が少ない場合は固体状態なので、匙等で充填するが、総水分量が多いスラリーの場合は、セルトレイ１の中央に流した後、各セルがほぼ満杯になるように手の平又は細長い板状物で均して充填すると作業性が大幅に向上する。
【００４２】
上記の要領にて、前記セルトレイ１の多数のセルＣ１，Ｃ２，Ｃ３・・・の全てに挿し木した後、温調室に入れて生育する。キュウリの場合で説明すると、挿し木後２〜３日で接木部６が活着し、適宜液肥や灌水を行なうと、発根して根量が増加し、挿し木後８〜１２日間（夏〜冬）で農家に出荷できるまでに生育する。
【００４３】
出荷後、農家では、セルＣ１から育苗用培土と共に苗を取り出し、定植する。このとき、本発明の育苗用培土は、育苗用培土の自己保持力を調整しているので、育苗用培土がバラバラになるようなことがなく、苗の根を傷めることなく、確実に定植できる。
【００４４】
かくして、本願発明の野菜類の挿し木方法では、挿し木が容易で活着、発根が良好であり、活着後出荷時点までの管理が容易である。また、出荷後には農家で育苗用培土を付けたままで定植することができ、定植後においてもピートモスやココピートの栄養分によって成長性が高い。
【実施例】
【００４５】
育苗用培土の調整では、ピートモス、ココピート、水溶性バインダーとしてダイセル化学工業（株）製の化１で示すＣＭＣ（カルボキシメチルセルロースナトリウムの粉末）、非水溶性の吸水ポリマーとして三洋化成工業（株）製のサンフレッシュ ＧＴ−１（アクリル酸重合体部分ナトリウム塩架橋物の微粒子）と水とを表１に示す配合比（但し、表１で示す量の２倍量作成）で上記の要領にて混合して実施例Ｎｏ１−１〜１−５、２−１〜２−４、３−１〜３−５、４−１〜４−６、比較例１〜５用の育苗用培土を調整した。
【化１】
2008253234.tif 000003
【００４６】
挿し木生育試験では、前記で調整した育苗用培土を、図１に示す容積が６７ｃｃで底孔６ｍｍの合成樹脂製のセルトレイ１の２０セルに充填して一晩放置した後、キュウリの断根台木３に別品種のキュウリの接穂４を接木した断根接苗５を挿し木した。
【００４７】
挿し木したセルトレイ１を、温度が２８〜３０℃、湿度が９５〜１００％に温調された室内に入れて、温度を２℃／２日、湿度を１５〜２０％/２日の割合で下げて８日間テストした。テストした接苗５の接木部６は２〜３日で活着し、３日目に液肥として大塚化学（株）製のカルスタート（窒素１５．０％、苦土１．０％、ホウ素０．１％、カルシウム１０％、鉄０．１％、銅０．０５２％、亜鉛０．０５％、モリブデン０．０５３％外水分）の５００倍液を、６日目に大塚化学（株）製の大塚ハウス１号と２号の１対１混合品（窒素１０．５％、リン酸４．０％、加里１３．５％、苦土２．０％、マンガン０．０５％、ホウ素０．０５％、石灰１１．５％、鉄０．０９％、銅０．００１％、亜鉛０．００３％、モリブデン０．００１％、外水分）の７５０倍液を施した。
【００４８】
各実験Ｎｏのセルトレイ１の育苗用培土の透水性や浸透性、８日後の発根、根張り、苗の生育、葉の色、肥料効果、定植作業性を調べた結果を表１に示す。
【表１】
2008253234.tif 000004
【００４９】
表１より、ピートモスとココピートの配合比率については、ピートモスのみでも、ココピートのみでも特に問題ないが、混用した方が好ましく、ココピートが多目の方が透水性が良好でより好ましい
非水溶性の吸水ポリマーの配合量は０．５〜１０ｇ、より好ましくは１〜５ｇで、１０ｇ以上になると、発根、根張りや苗の生育が悪くなる。また、非水溶性の吸水ポリマーを添加しなかった水準も肥料効果が悪く、根張りや葉の色が良くなかった。
【００５０】
水溶性バインダーの配合量は１〜１５重量部が利用可能域で、３〜１０ｇが好ましく、１５ｇ以上になると発根が悪くなり、葉の色や生育も良くなかった。また、逆に１ｇ以下になると浸透性が悪くなり、肥料効果も良くなかった。更に、水溶性バインダーを添加しなかった水準は培土全体がばらばらになって、定植する際培土崩れが生じて定植作業性が悪かった。
【００５１】
水の配合量が５００ｇの水準は、固体の培土なので大型のピンセットにてセル内に入れて、少し混ぜながら培土密度を調整し、下部が平坦な丸棒で表面を平らにして充填した。
【００５２】
一方、水の配合量が７５０ｇと１０００ｇの水準は、育苗用培土がスラリーなので、セルトレイ１の中央に全量流した後、各セルに満杯状態になるように手の平で均して充填することにより、培土密度がほぼ一定となり、培土表面もセルトレイ１の上面とほぼ一致し、充填作業性が大幅に向上した。この状態で一晩放置したところ、各セルの底孔７から水が徐々に排水し、培土の上面はセルトレイ１の上面から数ミリ下がった位置で平坦となり、固相に対する気相の比率が水５００ｇの水準よりも増加し、根張りや苗の生育が良好であった。実施例4-5が総合的に優れており、最良の条件であった。
【００５３】
以上の実施例では、キュウリの断根の台木３に別品種のキュウリの接穂４を接木した接苗５を前記育苗用培土２に挿し木した例について説明をしたが、本発明の育苗培土はキュウリの他にカボチャやなすび等の果菜類やその他の野菜、草花そして果樹等の接木した接苗や接木していない苗の挿し木用培土として、更に、これらの植物の種を直接播いて発芽させて育苗する場合等のいろいろな育苗用培土としても優れている。
【００５４】
本発明は上記実施形態に限定されるものではなく、本発明の要旨を逸脱しない範囲で適宜変形して実施することができる。
【図面の簡単な説明】
【００５５】
【図１】本発明の育苗用培土を充填したセルに、接木した苗を挿し木した一実施態様を示す正断面図である。
【図２】本発明の実施例で用いたセルトレイの一部切欠き平面図である。
【図３】図２のＦ３−Ｆ３線に沿ったセルトレイの部分側断面図である。
【符号の説明】
【００５６】
1  セルトレイ
2    育苗用培土
3 断根台木
4 接穂
5 接苗
6 接木部
7 底孔
Ｃ１，Ｃ２，Ｃ３  セル
【図１】
2008253234.tif 000005
【図２】
2008253234.tif 000006
【図３】
2008253234.tif 000007